(57)【要約】【課題】限られた売り場面積で、売り場事情に応じた関連商品を販売したい、という要求に応えることができる、ショーケースユニットを提供する。【解決手段】冷蔵ショーケース（ユニット）、冷凍ショーケース（ユニット）、冷蔵・冷凍ショーケース（ユニット）、非冷ユニット（ユニット）を選択的に取り付け可能な上半部取付面（取付面）５Ａおよび下半部取付面（取付面）５Ｂを有するプラットフォーム１を備え、プラットフォーム１の上半部取付面（取付面）５Ａおよび下半部取付面（取付面）５Ｂに冷蔵ショーケース（ユニット）、冷凍ショーケース（ユニット）、冷蔵・冷凍ショーケース（ユニット）、非冷ユニット（ユニット）を選択的に取り付けた。【選択図】図３
2019136277.tif 000002
【特許請求の範囲】
【請求項１】
冷蔵ショーケース、冷凍ショーケース、冷蔵・冷凍ショーケース、非冷ユニットから選択される複数のユニットを取り付け可能な取付面を有するプラットフォームを備え、
前記プラットフォームの前記取付面に前記ユニットを選択的に取り付けて構成したことを特徴とするショーケースユニット。
【請求項２】
前記プラットフォームの天面に冷却ユニットを備え、前記冷却ユニットと前記冷蔵・冷凍ショーケースとを接続する配管を前記プラットフォームの中空内に配置したことを特徴とする請求項１に記載のショーケースユニット。
【請求項３】
前記プラットフォームが起立フレームを備え、前記起立フレームに前記取付面を備えたことを特徴とする請求項１又は２に記載のショーケースユニット。
【請求項４】
前記起立フレームの片面に前記取付面を備えたことを特徴とする請求項１乃至３の何れか一項に記載のショーケースユニット。
【請求項５】
前記起立フレームの両面に前記取付面を備えたことを特徴とする請求項１乃至３の何れか一項に記載のショーケースユニット。
【請求項６】
前記プラットフォームの下側の前記取付面に平型ショーケースを取り付け、上側の前記取付面にリーチインショーケースを取り付けたことを特徴とする請求項１乃至５の何れか一項に記載のショーケースユニット。
【請求項７】
前記プラットフォームの下側の前記取付面に非冷ユニットを取り付け、上側の前記取付面にリーチインショーケースを取り付けたことを特徴とする請求項１乃至５の何れか一項に記載のショーケースユニット。
【請求項８】
前記プラットフォームの下側の前記取付面に平型ショーケースを取り付け、上側の前記取付面に非冷ユニットを取り付けたことを特徴とする請求項１乃至５の何れか一項に記載のショーケースユニット。
【請求項９】
前記プラットフォームの一方の面の下側の前記取付面に平型・ユニットを取り付け、一方の面の上側の前記取付面にリーチインショーケースを取り付けると共に、他方の面の下側の前記取付面に平型ショーケースを取り付け、他方の面の上側の前記取付面に非冷ユニットを取り付けたことを特徴とする請求項５に記載のショーケースユニット。
【請求項１０】
前記プラットフォームの一方の面の下側の前記取付面に平型ショーケースを取り付け、一方の面の上側の前記取付面に非冷ユニットを取り付けると共に、他方の面の下側の前記取付面に非冷ユニットを取り付け、他方の面の上側の前記取付面にリーチインショーケースを取り付けたことを特徴とする請求項５に記載のショーケースユニット。
【発明の詳細な説明】
【技術分野】
【０００１】
本発明は、ショーケースユニットに関する。
【背景技術】
【０００２】
一般に、都市型スーパー、コンビニエンス・ストア等において使用される、冷蔵・冷凍ショーケースや、非冷ユニット等が知られている（例えば、特許文献１を参照）。
【先行技術文献】
【特許文献】
【０００３】
【特許文献１】特開２０１６−１０６８２８
【発明の概要】
【発明が解決しようとする課題】
【０００４】
都市型スーパー等では、売り場面積が減少する傾向にあり、限られた売り場面積で、売り場事情に応じた、関連商品を販売したい、という要求がある。
しかし、従来の冷蔵・冷凍ショーケースや、非冷ユニット等は、いわば型が定まっており、この都市型スーパー等の要求に必ずしも対応できておらず、未だ改善の余地があった。
【０００５】
そこで、本発明の目的は、限られた売り場面積で、売り場事情に応じた関連商品を販売したい、という要求に応えることができる、プラットフォームを備えるショーケースユニットを提供することにある。
【課題を解決するための手段】
【０００６】
本発明は、冷蔵ショーケース、冷凍ショーケース、冷蔵・冷凍ショーケース、非冷ユニットから選択される複数のユニットを取り付け可能な取付面を有するプラットフォームを備え、前記プラットフォームの前記取付面に前記ユニットを選択的に取り付けて構成したことを特徴とする。
【発明の効果】
【０００７】
上記発明によれば、プラットフォームを備えたため、例えば、限られた売り場面積で、売り場事情に応じた関連商品を販売できる。
【図面の簡単な説明】
【０００８】
【図１】プラットフォームの一実施形態を示す図であり、Ａは、側面図、Ｂは、正面図、Ｃは、ＢのＣ−Ｃ線断面図。
【図２】Ａ〜Ｅは、冷蔵・冷凍ショーケースを示す断面図。
【図３】Ａ〜Ｄは、それぞれ異なるユニットが取り付けられたショーケースユニットを示す断面図。
【図４】Ａ〜Ｄは、それぞれ異なるユニットが取り付けられたショーケースユニットを示す断面図。
【図５】Ａ、Ｂは、それぞれ異なるユニットが取り付けられたショーケースユニットを示す断面図。
【図６】Ａ、Ｂは、それぞれ異なるユニットが取り付けられたショーケースユニットを示す断面図。
【図７】Ａ〜Ｃは、それぞれ異なるユニットが取り付けられたショーケースユニットを示す断面図。
【発明を実施するための形態】
【０００９】
第１の発明は、冷蔵ショーケース、冷凍ショーケース、冷蔵・冷凍ショーケース、非冷ユニットから選択される複数のユニットを取り付け可能な取付面を有するプラットフォームを備え、前記プラットフォームの前記取付面に前記ユニットを選択的に取り付けて構成したことを特徴とする。
上記発明によれば、前記プラットフォームの前記取付面に前記ユニットを選択的に取り付けてショーケースユニットを構成するため、顧客のオーダーに応じてユニットを組み変えることにより、例えば、限られた売り場面積で、売り場事情に応じた関連商品を販売できる。
【００１０】
第２の発明は、第１の発明において、前記プラットフォームの天面に冷却ユニットを備え、前記冷却ユニットと前記冷蔵・冷凍ショーケースとを接続する配管を前記フラットフォームの中空内に配置したことを特徴とする。
上記発明によれば、前記冷却ユニットと前記冷蔵・冷凍ショーケースとを接続する配管を前記フラットフォームの中空内に配置したため、配管の露出を防止でき、コンパクトに設計することができる。
【００１１】
第３の発明は、第１又は第２の発明において、前記プラットフォームが起立フレームを備え、前記起立フレームに前記取付面を備えたことを特徴とする。
上記発明によれば、前記起立フレームに前記取付面を備えたため、前記起立フレームにユニットを取り付ければよく、ショーケースユニットの構造が簡素化する。
【００１２】
第４の発明は、第１乃至第３の何れかの発明において、前記起立フレームの片面に前記取付面を備えたことを特徴とする。
上記発明によれば、前記起立フレームの片面にユニットが取り付けられるため、ショーケースユニットを店舗壁面に設置できる。
【００１３】
第５の発明は、第１乃至第３の何れかの発明において、前記起立フレームの両面に前記取付面を備えたことを特徴とする。
上記発明によれば、前記起立フレームの両面にユニットが取り付けられるため、ショーケースユニットを店舗壁面に限ることなく設置できる。ショーケースユニット設置の自由度が上がる。
【００１４】
第６の発明は、第１乃至第５の何れかの発明において、前記プラットフォームの下側の前記取付面に平型ショーケースを取り付け、上側の前記取付面にリーチインショーケースを取り付けたことを特徴とする。
上記発明によれば、下側に平型ショーケースを配置し、上側にリーチインショーケースを配置したい、という要求に応えることができる。
【００１５】
第７の発明は、第１乃至第５の何れかの発明において、前記プラットフォームの下側の前記取付面に非冷ユニットを取り付け、上側の前記取付面にリーチインショーケースを取り付けたことを特徴とする。
上記発明によれば、下側に非冷ユニットを配置し、上側にリーチインショーケースを配置したい、という要求に応えることができる。
【００１６】
第８の発明は、第１乃至第５の何れかの発明において、前記プラットフォームの下側の前記取付面に平型ショーケースを取り付け、上側の前記取付面に非冷ユニットを取り付けたことを特徴とする。
上記発明によれば、下側に平型ショーケースを配置し、上側に非冷ユニットを配置したい、という要求に応えることができる。
【００１７】
第９の発明は、第５の発明において、前記プラットフォームの一方の面の下側の前記取付面に平型・ユニットを取り付け、一方の面の上側の前記取付面にリーチインショーケースを取り付けると共に、他方の面の下側の前記取付面に平型ショーケースを取り付け、他方の面の上側の前記取付面に非冷ユニットを取り付けたことを特徴とする。
上記発明によれば、一方の面の下側に平型ショーケースを配置し、一方の面の上側にリーチインショーケースを配置し、他方の面の下側に平型ショーケースを配置し、他方の面の上側に非冷ユニットを配置したい、という要求に応えることができる。
【００１８】
第１０の発明は、第５の発明において、前記プラットフォームの一方の面の下側の前記取付面に平型ショーケースを取り付け、一方の面の上側の前記取付面に非冷ユニットを取り付けると共に、他方の面の下側の前記取付面に非冷ユニットを取り付け、他方の面の上側の前記取付面にリーチインショーケースを取り付けたことを特徴とする。
上記発明によれば、一方の面の下側に平型ショーケースを配置し、一方の面の上側に非冷ユニットを配置し、他方の面の下側に非冷ユニットを配置し、他方の面の上側にリーチインショーケースを配置したい、という要求に応えることができる。
【００１９】
以下、本発明に係るショーケースユニットの一実施形態について、図面を参照して、説明する。
【００２０】
図１は、本実施形態のプラットフォーム１を示す。このプラットフォーム１には、冷蔵ショーケース（ユニット）、冷凍ショーケース（ユニット）、冷蔵・冷凍ショーケース（ユニット）、非冷ユニット（ユニット）から選択される複数のユニットを取り付け可能である。
【００２１】
プラットフォーム１は、図１Ａに示すように、Ｌ字型であり、脚フレーム２と、この脚フレーム２に直交して連結され、垂直に立ち上がる起立フレーム３と、を備える。脚フレーム２の長さＬは、例えば、７００ｍｍであり、起立フレーム３の高さＨは、例えば、１８００ｍｍである。起立フレーム３は、幅方向の寸法Ｗが、例えば、１８００ｍｍであるが、例えば、２４００ｍｍの物も用意されている。
【００２２】
起立フレーム３は、図１Ｃに示すように、幅方向の両端に配置され、左右対称に形成されたコ字形のチャンネル材４と、この両端に配置された各チャンネル材４を連結する前板金５および後板金６と、を備える。
チャンネル材４は、プラットフォーム１側に位置するチャンネル前面４ａと、プラットフォーム１の側面を形成するチャンネル側面４ｂと、プラットフォーム１の後ろ側に位置するチャンネル後面４ｃと、を備える。
前板金５は、幅方向の両端に備えられる各チャンネル材４の各チャンネル前面４ａを連結する。後板金６は、各チャンネル後面４ｃを連結する。
起立フレーム３の内側は空洞（中空）Ｓである。
【００２３】
前板金５には、図１Ｂに示すように、上半部の領域に、上半部取付面（取付面）５Ａが形成され、下半部の領域に、下半部取付面（取付面）５Ｂが形成される。また、後板金６にも、上半部の領域に、上半部取付面（取付面）５Ａが形成され、下半部の領域に、下半部取付面（取付面）５Ｂが形成される。
これら上半部取付面５Ａおよび下半部取付面５Ｂは、起立フレーム３の両面の板金に形成されている。
【００２４】
本実施形態では、プラットフォーム１の起立フレーム３の上半部取付面５Ａ、下半部取付面５Ｂに、冷蔵ショーケース、冷凍ショーケース、冷蔵・冷凍ショーケース、非冷ユニットが、選択的に取り付けられる。プラットフォーム１を共通化することにより、クロス・マーチャン・ダイジングのショーケースユニットを提供できるようになる。
【００２５】
図２は、型が異なる冷蔵ショーケース、冷凍ショーケースおよび冷蔵・冷凍ショーケースの一例を示す。
図２Ａ〜図２Ｃは、リーチインショーケース（ユニット）である。リーチインショーケースは、冷蔵用、冷凍用および冷蔵・冷凍用のそれぞれにつき、例えば、図２Ａに示すリーチインショーケース１１（リーチインＡ）、図２Ｂに示すリーチインショーケース１２（リーチインＢ）、および図２Ｃに示すリーチインショーケース１３（リーチインＣ）の三種類が用意されている。
図２Ｄ、図２Ｅは、平型ショーケース（ユニット）である。平型ショーケースは、冷蔵用、冷凍用および冷蔵・冷凍用のそれぞれにつき、例えば、図２Ｄに示す平型ショーケース１４（平型Ａ）、図２Ｅに示す平型ショーケース１５（平型Ｂ）の二種類が用意されている。
【００２６】
上述のように、都市型スーパー等では、限られた売り場面積で、売り場事情に応じた、関連商品を販売したい、という要求がある。
本実施形態では、プラットフォーム１の上半部取付面５Ａ、下半部取付面５Ｂに、同じ型、もしくは、型が異なる冷蔵ショーケース、冷凍ショーケース、冷蔵・冷凍ショーケースおよび非冷ユニットを選択的に取り付ける。これにより、ショーケースユニットを構成している。
すなわち、プラットフォーム１を共通化し、顧客のオーダーに応じて、その上半部取付面５Ａ、下半部取付面５Ｂに、冷蔵ショーケース、冷凍ショーケース、冷蔵・冷凍ショーケースおよび非冷ユニットを選択的に取り付けてショーケースユニットを構成する。
これにより、売り場事情に応じてユニットを選択的に取り付けることができる。
【００２７】
ショーケースユニットは、同じ型、もしくは、型が異なる冷蔵ショーケース、冷凍ショーケース、冷蔵・冷凍ショーケースおよび非冷ユニットを組み変えるだけで、例えば、売り場事情に応じた関連商品を販売したい、という要求等に、簡単に応えることができる。尚、ショーケースユニットは、顧客のオーダーに応じて、工場で組み立てて出荷する。
【００２８】
起立フレーム３の両面の前板金５および後板金６に、あらかじめ適宜のピッチＰで、複数本のナット（不図示）を取り付けておくことが望ましい。リーチインショーケース１１〜１３等の、冷蔵ショーケース、冷凍ショーケース、冷蔵・冷凍ショーケースおよび非冷ユニットには、同じピッチＰでボルト（不図示）を通す開口を形成する。ボルト、ナットによる連結が容易になり、顧客のオーダーに応じて、簡単に組み立てできる。
【００２９】
図３から図７は、売り場事情に応じた、型の異なる冷蔵ショーケース、冷凍ショーケース、冷蔵・冷凍ショーケースおよび非冷ユニットを選択的に取り付けた、ショーケースユニットを示す。
図３Ａでは、プラットフォーム１の下側の下半部取付面５Ｂに、平型ショーケース（平型Ａ）１４が取り付けられている。また、上側の上半部取付面５Ａには、リーチインショーケース（リーチインＡ）１１が取り付けられている。平型ショーケース（平型Ａ）１４とリーチインショーケース（リーチインＡ）１１との間には、板金製の箱形の支持体２１が配置されている。
【００３０】
プラットフォーム１の起立フレーム３の天面には、冷却ユニット３１が取り付けられている。冷却ユニット３１には、図示は省略したが、圧縮機、凝縮器、凝縮器ファン等が収納されている。
冷却ユニット３１からは、第１冷媒配管３２および第２冷媒配管３３が、起立フレーム３の空洞Ｓを通って下方に延びている。
【００３１】
第１冷媒配管３２は、上半部取付面５Ａに取り付けられた冷蔵ショーケース、冷凍ショーケースおよび冷蔵・冷凍ショーケースの内部に設けられる蒸発器に接続されている。例えば、本実施の形態に係る図３Ａによれば、第１冷媒配管３２は、リーチインショーケース（リーチインＡ）１１の蒸発器３４に接続されている。
第２冷媒配管３３は、下半部取付面５Ｂに取り付けられた冷蔵ショーケース、冷凍ショーケースおよび冷蔵・冷凍ショーケースの内部に設けられる蒸発器に接続されている。例えば、本実施の形態に係る図３Ａによれば、第２冷媒配管３３は、平型ショーケース（平型Ａ）１４の蒸発器３５に接続されている。
【００３２】
この構成によれば、第１冷媒配管３２および第２冷媒配管３３を、起立フレーム３の空洞Ｓ（中空）内に配置したため、冷媒配管３２、３３の外部への露出を防止できる。
【００３３】
また、第１冷媒配管３２および第２冷媒配管３３を、起立フレーム３の空洞Ｓ（中空）内に配置したことに加え、冷却ユニット３１を起立フレーム３の天面に配置し、かつ、冷却ユニット３１の後端が起立フレーム３の後端よりも前方に位置するように配置したので、冷却ユニット３１が起立フレーム３の後端よりも後方に突出しないので、プラットフォーム１を、コンパクトに設計することができる。
【００３４】
また、１つの冷却ユニット３１により、また、１つの冷却ユニット３１により、上半部取付面５Ａに取り付けられたリーチインショーケース（リーチインＡ）１１と、下半部取付面５Ｂに取り付けられた平型ショーケース（平型Ａ）１４と、を冷却するため、プラットフォーム１を、コンパクトに設計することができる。
【００３５】
図３Ｂでは、プラットフォーム１の下側の下半部取付面５Ｂに、平型ショーケース（平型Ｂ）１５が取り付けられ、上側の上半部取付面５Ａに、リーチインショーケース（リーチインＡ）１１が取り付けられている。平型ショーケース（平型Ｂ）１５とリーチインショーケース（リーチインＡ）１１と間には、板金製の箱形の支持体２２が配置されている。
尚、以下の構成では、冷却ユニット３１と、各ショーケースと、を接続する図３Ａに示した第１冷媒配管３２および第２冷媒配管３３の構成は同じであるため、図示及び説明を省略する。
この実施形態によれば、下側に平型ショーケース（平型Ｂ）１５を配置し、上側にリーチインショーケース（リーチインＡ）１１を配置できる。
【００３６】
図３Ｃでは、プラットフォーム１の下側の下半部取付面５Ｂに、平型ショーケース（平型Ａ）１４が取り付けられ、上側の上半部取付面５Ａに、リーチインショーケース（リーチインＢ）１２が取り付けられている。平型ショーケース（平型Ａ）１４とリーチインショーケース（リーチインＢ）１２との間には、板金製の箱形の支持体２３が配置されている。
【００３７】
図３Ｄでは、プラットフォーム１の下側の下半部取付面５Ｂに、平型ショーケース（平型Ｂ）１５が取り付けられ、上側の上半部取付面５Ａに、リーチインショーケース（リーチインＢ）１２が取り付けられている。平型ショーケース（平型Ｂ）１５とリーチインショーケース（リーチインＢ）１２との間には、板金製の箱形の支持体２４が配置されている。
【００３８】
これら図３Ａ〜図３Ｄ実施形態によれば、下側に平型ショーケース（平型Ａ又は平型Ｂ）を配置し、上側にリーチインショーケース（リーチインＢ）を配置したい、という顧客の要求に応えることができる。
【００３９】
以上の構成では、上段部、下段部が共に冷蔵ショーケース、冷凍ショーケース、冷蔵・冷凍ショーケースのいずれかであり、例えば、下段部に、チーズ、生ハム、スイーツ、フルーツ等を陳列でき、上段部に、ワイン、酒類等を陳列できる。
この実施形態によれば、都市型スーパー等において、プチ贅沢、こだわりニーズをしっかりサポートし、じっくり選んで、ゆったり食べたいといった、嗜好＝至高・クロス・マーチャン・ダイジングのショーケースユニットが提案される。
【００４０】
図４Ａでは、プラットフォーム１の下側の下半部取付面５Ｂに、非冷ユニット（ユニット）２５が取り付けられ、上側の上半部取付面５Ａに、リーチインショーケース（リーチインＡ）１１が取り付けられている。
図４Ｂでは、プラットフォーム１の下側の下半部取付面５Ｂに、非冷ユニット２６が取り付けられ、上側の上半部取付面５Ａに、リーチインショーケース（リーチインＢ）１２が取り付けられている。
【００４１】
非冷ユニット２５は、Ｌ字形のベース２７と、このベース２７に、上下に間隔をあけて設けられる複数枚の棚板２８と、を備える。ベース２７は、プラットフォーム１の下側の下半部取付面５Ｂに取付けられている。
非冷ユニット２６は、Ｌ字形のベース２９と、このベース２９に、上下に間隔をあけて設けられる複数枚の棚板２８と、を備える。ベース２９は、プラットフォーム１の下側の下半部取付面５Ｂに取付けられている。
【００４２】
このように、非冷ユニット２５，２６が下半部取付面５Ｂに配置される形態では、非冷ユニット２５，２６は、Ｌ字形のベース２７，２９を備える。これにより、非冷ユニット２５，２６の最下段の陳列棚をＬ字形のベース２７，２９で構成することができ、Ｌ字形のベース２７，２９の形状を適宜変更することにより、自由度の高い最下段の陳列棚形状を適用できる。
ベース２７と、ベース２９とは高さが異なる。一方のベース２７は棚板２８が三段で、他方のベース２９は棚板２８が二段である。
これらユニット配置の構成では、下段部が非冷であり、弁当、惣菜、スープ、汁物等を陳列でき、上段部が冷蔵・冷凍であり、飲料等を陳列できる。
【００４３】
この実施形態によれば、都市型スーパー等において、お好みのデリにプラスワンの感覚で、さっと買って、ぱっと食べたい、といった、即食・クロス・マーチャン・ダイジングのショーケースユニットが提案される。
この実施形態によれば、下側に非冷ユニットを配置し、上側にリーチインショーケース（リーチインＡ又はリーチインＢ）を配置したい、という顧客の要求に応えることができる。
【００４４】
図４Ｃでは、プラットフォーム１の下側の下半部取付面５Ｂに、平型ショーケース（平型Ａ）１４が取り付けられ、上側の上半部取付面５Ａに、非冷ユニット４１が取り付けられている。
図４Ｄでは、プラットフォーム１の下側の下半部取付面５Ｂに、平型ショーケース（平型Ｂ）１５が取り付けられ、上側の上半部取付面５Ａに、非冷ユニット４４が取り付けられている。
【００４５】
非冷ユニット４１は、Ｉ字形のベース４２と、このベース４２に、上下に間隔をあけて設けられる複数枚の棚板４３と、を備える。ベース４２は、プラットフォーム１の上半部取付面５Ａに取付けられている。
非冷ユニット４４は、Ｉ字形のベース４５と、このベース４５に、上下に間隔をあけて設けられる複数枚の棚板４３と、を備える。ベース４５は、プラットフォーム１の上半部取付面５Ａに取付けられている。
【００４６】
このように、非冷ユニット４１，４４が上半部取付面５Ａに配置される形態では、非冷ユニット４１，４４は、Ｉ字形のベース４２，４５を備える。
ベース４２と、ベース４５とは高さが異なる。
【００４７】
この実施形態によれば、下段部が冷蔵ショーケース、冷凍ショーケース、冷蔵・冷凍ショーケースのいずれかであり、カット野菜、鍋セット等を陳列でき、上段部が非冷であり、レトルト食品、鍋スープ等を陳列できる。
この実施形態によれば、都市型スーパー等において、買い物も料理も手間なく、ぱっと買えて、楽しく食べたいといった、簡単時短・クロス・マーチャン・ダイジングのショーケースユニットが提案される。
また、下側に平型ショーケースを配置し、上側に非冷ユニットを配置したい、という顧客の要求に応えることができる。
【００４８】
以上の各実施形態では、起立フレーム３の片面に、同じ型、もしくは、型が異なる冷蔵ショーケース、冷凍ショーケース、冷蔵・冷凍ショーケースおよび非冷ユニットを選択的に取り付けて、ショーケースユニットを構成するため、都市型スーパー等の店舗壁面に、店舗毎に使い勝手のよいショーケースユニットを設置できる。
【００４９】
つぎに、プラットフォーム１の起立フレーム３の両面に、同じ型、もしくは、型が異なる冷蔵ショーケース、冷凍ショーケース、冷蔵・冷凍ショーケースおよび非冷ユニットを選択的に取り付けた、ショーケースユニットを説明する。
図５Ａでは、プラットフォーム１の一方の面の、下側の下半部取付面５Ｂに、平型ショーケース（平型Ａ）１４が取り付けられ、上側の上半部取付面５Ａに、リーチインショーケース（リーチインＡ）１１が取り付けられている。
また、プラットフォーム１の他方の面の、下部には補助脚５１が配置される。この際、プラットフォーム１はＴ字型である。
他方の面の、下側の下半部取付面５Ｂには、平型ショーケース（平型Ｂ）１５が取り付けられ、上側の上半部取付面５Ａに、リーチインショーケース（リーチインＢ）１２が取り付けられている。
【００５０】
プラットフォーム１の起立フレーム３の天面には、冷却ユニット３１Ａ、３１Ｂが取り付けられている。冷却ユニット３１Ａは、起立フレーム３の一方の面に取付けられた、平型ショーケース（平型Ａ）１４、及び、リーチインショーケース（リーチインＡ）１１のための、冷却ユニットである。冷却ユニット３１Ｂは、起立フレーム３の他方の面に取付けられた、平型ショーケース（平型Ｂ）１５、及び、リーチインショーケース（リーチインＢ）１２のための、冷却ユニットである。
冷却ユニット３１Ａ、３１Ｂと、各ショーケースと、を接続する第１冷媒配管３２および第２冷媒配管３３は、図３Ａに示す構成と同じであるため、図示及び説明を省略する。
【００５１】
図５Ｂでは、プラットフォーム１の一方の面の、下側の下半部取付面５Ｂに、平型ショーケース（平型Ａ）１４が取り付けられ、上側の上半部取付面５Ａに、リーチインショーケース（リーチインＢ）１２が取り付けられている。
また、他方の面の、下側の下半部取付面５Ｂに、平型ショーケース（平型Ｂ）１５が取り付けられ、上側の上半部取付面５Ａに、リーチインショーケース（リーチインＡ）１１が取り付けられている。
【００５２】
これら実施形態によれば、起立フレーム３の両面に、型の異なる冷蔵ショーケース、冷凍ショーケース、冷蔵・冷凍ショーケースであっても、選択的に取り付けることによりショーケースユニットを構成することが可能となるため、限られた売り場面積で、売り場事情に応じた、関連商品を販売したい、という要求に応えることができる。
また、起立フレーム３の両面に、ユニットを選択的に取り付けるため、都市型スーパー等の店舗中央に、本ショーケースユニットを設置できる。
【００５３】
図６Ａでは、プラットフォーム１の一方の面の、下側の下半部取付面５Ｂに、非冷ユニット２５が取り付けられ、上側の上半部取付面５Ａに、リーチインショーケース（リーチインＡ）１１が取り付けられている。
また、他方の面の、下側の下半部取付面５Ｂには、非冷ユニット２６が取り付けられ、上側の上半部取付面５Ａに、リーチインショーケース（リーチインＢ）１２が取り付けられている。
【００５４】
図６Ｂでは、プラットフォーム１の一方の面の、下側の下半部取付面５Ｂに、平型ショーケース（平型Ａ）１４が取り付けられ、上側の上半部取付面５Ａに、非冷ユニット４１が取り付けられている。
また、他方の面の、下側の下半部取付面５Ｂには、平型ショーケース（平型Ｂ）１５が取り付けられ、上側の上半部取付面５Ａに、非冷ユニット４４が取り付けられている。
【００５５】
図７Ａでは、プラットフォーム１の一方の面の、下側の下半部取付面５Ｂに、平型ショーケース（平型Ａ）１４が取り付けられ、上側の上半部取付面５Ａに、リーチインショーケース（リーチインＡ）１１が取り付けられている。
また、他方の面の、下側の下半部取付面５Ｂには、平型ショーケース（平型Ｂ）１５が取り付けられ、上側の上半部取付面５Ａに、非冷ユニット４４が取り付けられている。
【００５６】
図７Ｂでは、プラットフォーム１の一方の面の、下側の下半部取付面５Ｂに、平型ショーケース（平型Ａ）１４が取り付けられ、上側の上半部取付面５Ａに、非冷ユニット４１が取り付けられている。
また、他方の面の、下側の下半部取付面５Ｂには、非冷ユニット２６が取り付けられ、上側の上半部取付面５Ａには、リーチインショーケース（リーチインＢ）１２が取り付けられている。
【００５７】
図７Ｃでは、プラットフォーム１の一方の全面（取付面５Ａ、取付面５Ｂ）に、リーチインショーケース（リーチインＣ）１３が取り付けられ、他方の全面（取付面５Ａ、取付面５Ｂ）にも、同じく、リーチインショーケース（リーチインＣ）１３が取り付けられている。
【００５８】
図５から図７に示すように、プラットフォーム１の起立フレーム３の両面に、同じ型、もしくは、型が異なる冷蔵ショーケース、冷凍ショーケース、冷蔵・冷凍ショーケースおよび非冷ユニットを選択的に取り付ける構成においても、１つの冷却ユニット３１を起立フレーム３の天面に配置してもよい。
これによれば、部品点数を削減できる。
【００５９】
以上説明したように、本実施の形態に係るショーケースユニットによれば、冷蔵ショーケース（ユニット）、冷凍ショーケース（ユニット）、冷蔵・冷凍ショーケース（ユニット）、非冷ユニット（ユニット）を選択的に取り付け可能な上半部取付面（取付面）５Ａおよび下半部取付面（取付面）５Ｂを有するプラットフォーム１を備え、プラットフォーム１の上半部取付面（取付面）５Ａおよび下半部取付面（取付面）５Ｂに冷蔵ショーケース（ユニット）、冷凍ショーケース（ユニット）、冷蔵・冷凍ショーケース（ユニット）、非冷ユニット（ユニット）を選択的に取り付けた。
これによれば、プラットフォーム１の上半部取付面（取付面）５Ａ、下半部取付面（取付面）５Ｂに冷蔵ショーケース（ユニット）、冷凍ショーケース（ユニット）、冷蔵・冷凍ショーケース（ユニット）、非冷ユニット（ユニット）を選択的に取り付けてショーケースユニットを構成するため、顧客のオーダーに応じて冷蔵ショーケース（ユニット）、冷凍ショーケース（ユニット）、冷蔵・冷凍ショーケース（ユニット）、非冷ユニット（ユニット）を組み変えることにより、例えば、限られた売り場面積で、売り場事情に応じた関連商品を販売したい、という要求等に応えることができる。
【００６０】
また、本実施の形態によれば、プラットフォーム１の天面に冷却ユニット３１を備え、第１冷媒配管３２および第２冷媒配管３３を起立フレーム３の内側に形成される空洞Ｓに配置した。
これによれば、第１冷媒配管３２および第２冷媒配管３３をプラットフォーム１の空洞Ｓに配置したため、第１冷媒配管３２および第２冷媒配管３３の露出を防止でき、ショーケースユニットをコンパクトに設計することができる。
【００６１】
また、本実施の形態によれば、プラットフォーム１が起立フレーム３を備え、起立フレーム３に上半部取付面（取付面）５Ａおよび下半部取付面（取付面）５Ｂを備えた。
これによれば、起立フレーム３に冷蔵ショーケース（ユニット）、冷凍ショーケース（ユニット）、冷蔵・冷凍ショーケース（ユニット）、非冷ユニット（ユニット）を取り付ければよく、ショーケースユニットの構造が簡素化する。
【００６２】
また、本実施の形態によれば、起立フレーム３の片面に上半部取付面（取付面）５Ａおよび下半部取付面（取付面）５Ｂを備えた。
そのため、冷蔵ショーケース（ユニット）、冷凍ショーケース（ユニット）、冷蔵・冷凍ショーケース（ユニット）、非冷ユニット（ユニット）を起立フレーム３の一側面に取り付けることができ、ショーケースユニットを店舗壁面に設置できる。
【００６３】
また、本実施の形態によれば、起立フレーム３の両面に上半部取付面（取付面）５Ａおよび下半部取付面（取付面）５Ｂを備えた。
そのため、冷蔵ショーケース（ユニット）、冷凍ショーケース（ユニット）、冷蔵・冷凍ショーケース（ユニット）、非冷ユニット（ユニット）を起立フレーム３の両面に取り付けることができ、ショーケースユニットを店舗壁面に限ることなく設置できる。ショーケースユニット設置の自由度が上がる。
【００６４】
以上、一実施形態に基づいて、本発明を説明したが、本発明は、この実施形態に限定されるものではないことは明らかである。
本発明は、他の多くのユニット、例えば、小型オープンショーケースのようなユニットを適用することは可能である。
【符号の説明】
【００６５】
１  プラットフォーム
２  脚フレーム
３  起立フレーム
４  チャンネル材
５  前板金
６  後板金
５Ａ  上半部取付面（取付面）
５Ｂ  下半部取付面（取付面）
１１、１２、１３  リーチインショーケース（ユニット）
１４、１５  平型ショーケース（ユニット）
２５、２６、４１、４４  非冷ユニット（ユニット）
２７、２９  ベース
２８  棚板
３１、３１Ａ、３１Ｂ  冷却ユニット
３２  第１冷媒配管
３３  第２冷媒配管
３４、３５  蒸発器
Ｓ  空洞（中空）
【図１】
2019136277.tif 000003
【図２】
2019136277.tif 000004
【図３】
2019136277.tif 000005
【図４】
2019136277.tif 000006
【図５】
2019136277.tif 000007
【図６】
2019136277.tif 000008
【図７】
2019136277.tif 000009